(57)【要約】      （修正有）【課題】外部から入力される音声信号のうち、所定の楽曲に該当する音声信号を自動的に録音する音声信号記憶装置、音声信号記憶装置の制御方法および制御プログラムを提供する。【解決手段】音声信号記憶装置１に外部から入力された音声信号を記憶媒体８に記憶させる記憶処理部１１と、所定の楽曲を特定するために予め取得された楽曲識別情報２５に基づいて、前記音声信号が前記所定の楽曲に対応する楽曲信号に該当する場合に、当該楽曲信号を前記記憶処理部１１により記憶媒体８に記憶させる制御部１４と、を備えさせる。【選択図】    図４
2007157294.tif 000002
【特許請求の範囲】
【請求項１】
外部から入力された音声信号を記憶媒体に記憶させる記憶処理部と、
所定の楽曲を特定するために予め取得された楽曲識別情報に基づいて、前記音声信号が前記所定の楽曲に対応する楽曲信号に該当する場合に、当該楽曲信号を前記記憶処理部により前記記憶媒体に記憶させる制御部と、
を備えたことを特徴とする音声信号記憶装置。
【請求項２】
請求項１記載の音声信号記憶装置において、
外部から入力された音声信号の一部を、その入力状態に応じて順次更新しつつ記憶する一時記憶部を備え、
前記楽曲識別情報は、前記所定の楽曲に対応する楽曲信号の一部である楽曲識別音声信号を含み、
前記制御部は、前記一時記憶部に記憶された音声信号の少なくとも一部に基づいて、当該音声信号が前記楽曲識別音声信号と一致すると見倣せる場合に、外部から入力された音声信号が前記所定の楽曲に該当すると判別すること、
を特徴とする音声信号記憶装置。
【請求項３】
請求項２記載の音声信号記憶装置において、
前記所定の楽曲に対応する楽曲信号の一部は、前記所定の楽曲の前奏部分に対応する音声信号であること、
を特徴とする音声信号記憶装置。
【請求項４】
請求項１〜３のいずれか一項に記載の音声信号記憶装置において、
前記楽曲識別情報は、前記所定の楽曲の演奏時間に関する情報である演奏時間情報を含み、
前記制御部は、前記演奏時間情報に基づいて、前記記憶処理部における前記楽曲信号を前記記憶媒体に記憶させる記憶時間を制御すること、
を特徴とする音声信号記憶装置。
【請求項５】
請求項２または３に記載の音声信号記憶装置において、
前記楽曲識別情報は、前記楽曲における所定の区切り部分に対応する音声信号である区切部識別音声信号を含み、
前記制御部は、前記一時記憶部に記憶された音声信号に基づいて、当該音声信号が前記区切部識別音声信号と一致すると見倣せる場合に、外部から入力された音声信号が前記所定の楽曲の所定の区切り部に該当すると判別して、前記記憶処理部における記憶処理を制御すること、
を特徴とする音声信号記憶装置。
【請求項６】
外部から入力された音声信号を記憶媒体に記憶させる記憶処理部を備えた音声信号記憶装置の制御方法において、
所定の楽曲を特定するための楽曲識別情報を予め取得する過程と、
前記楽曲識別情報に基づいて、前記音声信号が前記所定の楽曲に対応する楽曲信号に該当する場合に、当該楽曲信号を前記記憶処理部により前記記憶媒体に記憶させる過程と、
を備えたことを特徴とする音声信号記憶装置の制御方法。
【請求項７】
外部から入力された音声信号を記憶媒体に記憶させる記憶処理部を備えた音声信号記憶装置をコンピュータにより制御するための制御プログラムにおいて、
所定の楽曲を特定するための楽曲識別情報を予め取得させ、
前記楽曲識別情報に基づいて、前記音声信号が前記所定の楽曲に対応する楽曲信号に該当する場合に、当該楽曲信号を前記記憶処理部により前記記憶媒体に記憶させる、
ことを特徴とする制御プログラム。
【発明の詳細な説明】
【技術分野】
【０００１】
本発明は音声信号を所定の記憶媒体に録音させる音声信号記憶装置、音声信号記憶装置の制御方法および制御プログラムに関する。
【背景技術】
【０００２】
車の運転中に車載オーディオ等でラジオ放送から流れる音楽を楽しむユーザは多い。従来、車載オーディオ装置には音声信号記憶装置が搭載されており、ユーザはラジオ放送等で流れる好みのアーティストの曲等をカセットテープやＭＤ（Mini Disk）、メモリカード、ハードディスクといった記憶媒体に記憶、すなわち録音することができるようになっている。
【０００３】
また、ラジオ番組内では楽曲紹介の後に音楽が提供されることが多いが、車の運転中では、ユーザは楽曲紹介等を聞き逃す可能性がある。そこで、音声信号に基づいて楽曲を認識し、曲名、アーティスト名等を特定できるようにした装置が知られている（例えば、特許文献１参照）。この装置では、予め音楽データベースを構築しておき、受信した音声信号をサンプリングしてＰＣＭ（Pulse Code Modulation）方式でデータ化し、このＰＣＭデータと音楽データベースに蓄積された音楽データとの一致度を検出することにより、曲名やアーティスト名等を特定することができるようにしている。
【０００４】
一方、聞き逃したラジオ放送等の音声信号をユーザが再聴取したいと考えたときに、所定時間分だけ過去の音声信号を再生可能にした装置も知られている（例えば、特許文献２参照）。この装置では、ラジオ放送等の放送音声を所定時間分だけリングバッファ（リングメモリ）に常時記録しておき、ユーザの指示に応じてリングバッファに記録された音声を再生出力するようにしている。この装置によれば、楽曲紹介や、楽曲の最初の部分等を聞き逃した場合であっても、ユーザはそれを再聴取することが可能であり利便性が高い。
【特許文献１】特開平８−１６２９８１号公報
【特許文献２】特開２００２−２５８８７３号公報
【発明の開示】
【発明が解決しようとする課題】
【０００５】
ところで、ユーザがラジオ番組でいつどのような曲が流れるかを予め把握するのは困難である。また、楽曲の前後にＤＪ（Disc Jockey）による楽曲紹介などの音楽以外の余分な音声が入らないように録音するには、楽曲が流れると同時に録音開始ボタンを押下し、楽曲の演奏終了とともに録音停止ボタンを押下する必要がある。楽曲の開始時点および終了時点で正確に操作ボタンを押下するのは困難であるとともに、特に車の運転中にこのような操作を行うのは、運転の妨げともなり好ましくない。
【０００６】
一方、特許文献１記載の装置を利用すれば、ラジオ番組内で流れる楽曲の曲名やアーティスト名を聞き逃した場合でも、後から楽曲の曲名やアーティスト名を特定することができるが、あくまで楽曲をユーザが認識できるにすぎず、当該楽曲を録音するという用途には向いていない。
【０００７】
また、特許文献２記載の装置を利用すれば、リングバッファに記憶された音声信号を出力させて、録音し損ねた楽曲の一部を後で記憶媒体に記憶させることを考えられる。しかし、リングバッファ内に記憶された音声信号は一定時間後に他の音声信号に置き換わるため、運転中のユーザにとって、適当なタイミングで録音操作を行うのは、困難であるとともに、運転の妨げとなり好ましくない。
【０００８】
さらに、リングバッファ内に記憶された音声信号にはDJ（Disc  Jockey）による楽曲紹介などの音楽以外の余分な音声信号が含まれている可能性がある。また、録音停止ボタンを押下したタイミングによっては、楽曲終了後の余分な音声信号が含まれている場合もある。これらの余分な音声信号を除去するためには、高度な編集作業が必要となり、運転中のユーザにとって現実的な作業ではない。
【０００９】
そこで、本発明の課題は、外部から入力される音声信号のうち、所定の楽曲に該当する音声信号を自動的に録音することが可能な音声信号記憶装置、音声信号記憶装置の制御方法および制御プログラムを提供することにある。
【課題を解決するための手段】
【００１０】
上記課題を解決するために、音声信号記憶装置は、外部から入力された音声信号を記憶媒体に記憶させる記憶処理部と、所定の楽曲を特定するために予め取得された楽曲識別情報に基づいて、前記音声信号が前記所定の楽曲に対応する楽曲信号に該当する場合に、当該楽曲信号を前記記憶処理部により前記記憶媒体に記憶させる制御部と、を備えたことを特徴とする。
上記構成によれば、制御部は、予め取得した楽曲識別情報に基づいて、外部から入力される音声信号が所定の楽曲に対応する楽曲信号に該当する場合に、記憶処理部にその楽曲信号を記憶させる。したがって、上記構成によれば、楽曲識別情報により特定された所定の楽曲に対応する楽曲信号が自動的に記憶媒体に記憶される。
【００１１】
上記構成において、外部から入力された音声信号の一部を、その入力状態に応じて順次更新しつつ記憶する一時記憶部を備え、前記楽曲識別情報は、前記所定の楽曲に対応する楽曲信号の一部である楽曲識別音声信号を含み、前記制御部は、前記一時記憶部に記憶された音声信号の少なくとも一部に基づいて、当該音声信号が前記楽曲識別音声信号と一致すると見倣せる場合に、外部から入力された音声信号が前記所定の楽曲に該当すると判別することができる。
【００１２】
この場合において、前記所定の楽曲に対応する楽曲信号の一部を、前記所定の楽曲の前奏部分に対応する音声信号とすることができる。
【００１３】
上記構成において、前記楽曲識別情報に、前記所定の楽曲の演奏時間に関する情報である演奏時間情報を含ませ、前記制御部に、前記演奏時間情報に基づいて、前記記憶処理部における前記楽曲信号を前記記憶媒体に記憶させる記憶時間を制御させてもよい。
【００１４】
また、上記構成において、前記楽曲識別情報に、前記楽曲における所定の区切り部分に対応する音声信号である区切部識別音声信号を含ませ、前記制御部に、前記一時記憶部に記憶された音声信号に基づいて、当該音声信号が前記区切部識別音声信号と一致すると見倣せる場合に、外部から入力された音声信号が前記所定の楽曲の所定の区切り部に該当すると判別させて、前記記憶処理部における前記楽曲信号を前記記憶媒体に記憶させる記憶時間を制御させてもよい。
【００１５】
上記課題を解決するために、外部から入力された音声信号を記憶媒体に記憶させる記憶処理部を備えた音声信号記憶装置の制御方法は、所定の楽曲を特定するための楽曲識別情報を予め取得する過程と、前記楽曲識別情報に基づいて、前記音声信号が前記所定の楽曲に対応する楽曲信号に該当する場合に、当該楽曲信号を前記記憶処理部により前記記憶媒体に記憶させる過程と、を備えたことを特徴とする。
【００１６】
上記課題を解決するために、外部から入力された音声信号を記憶媒体に記憶させる記憶処理部を備えた音声信号記憶装置をコンピュータにより制御するための制御プログラムは、所定の楽曲を特定するための楽曲識別情報を予め取得させ、前記楽曲識別情報に基づいて、前記音声信号が前記所定の楽曲に対応する楽曲信号に該当する場合に、当該楽曲信号を前記記憶処理部により前記記憶媒体に記憶させる、ことを特徴とする。
【発明の効果】
【００１７】
本発明によれば、外部から入力される音声信号のうち所定の楽曲に該当する音声信号を記憶媒体に自動的に録音させることができる。
【発明を実施するための最良の形態】
【００１８】
次に、本発明の好適な実施の形態について図面を参照して詳細に説明する。
図１に、本発明の実施の形態の音声信号記憶装置１を備えた車載オーディオ装置１００の概要構成を示す。車載オーディオ装置１００は、音声信号記憶装置１の他に、ラジオ受信部２と、操作部３と、表示部４と、音声信号再生部５と、スピーカー６と、メモリカード接続部７とを備え、外部記憶媒体９に記憶された楽曲識別情報２５に基づいて、ラジオ受信部２から入力される音声信号のうち所定の楽曲に対応する楽曲信号を所定の記憶媒体８に自動的に記憶する楽曲信号の自動記憶処理を実行できるようになっている。
【００１９】
ラジオ受信部２は、アンテナ（図示略）を備え、アンテナを介して受信したラジオ放送電波からラジオ音声信号を取得して、音声信号記憶装置１やスピーカー６に出力するものである。
【００２０】
操作部３は、ユーザからの各種操作指示を受け付けるもので、受信する放送局を選択するためのボタン、音量調整ボタン等の各種の操作ボタンの他、ラジオ放送を所定の記憶媒体８に記憶させるための録音開始ボタン、録音停止ボタンや、楽曲信号の自動記憶処理を設定するための設定ボタン等の各種操作子を有している。
【００２１】
表示部４は、操作メニューや上記楽曲信号の自動記憶処理実行時の設定内容等の各種表示を行うもので、例えば、液晶ディスプレイ等から構成できる。
【００２２】
音声信号再生部５は、音声信号記憶装置１において一時記憶部１２に記憶された音声信号をスピーカー６から出力可能な音声信号に信号処理するものである。
【００２３】
スピーカー６は、ラジオ受信部２から出力される音声信号もしくは音声信号再生部５から出力される音声信号を音波として外部に出力するためのものである。
【００２４】
メモリカード接続部７は、楽曲識別情報２５を記憶する外部記憶媒体９としてのメモリカードを接続するための接続インターフェースである。
【００２５】
記憶媒体８は、所定の楽曲信号が記憶されるもので、ハードディスク等の磁気媒体を利用した記憶媒体であってもよいし、コンパクトフラッシュ（登録商標）やＳＤ（Secure Digital）メモリカード等のフラッシュメモリを採用した記憶媒体であってもよいし、カセットテープやＭＤ等の記憶媒体であってもよい。
【００２６】
外部記憶媒体９は、楽曲識別情報２５が記憶されるものであり、コンパクトフラッシュ（登録商標）やＳＤメモリカード等のメモリカードをあげることができる。
楽曲識別情報２５は、楽曲信号の自動記憶処理において使用されるものである。楽曲識別情報２５として、楽曲信号の自動記憶処理において所定の楽曲を特定するための楽曲識別音声信号が記憶されるイントロファイル２５ａと、記憶処理部１１における記憶処理を制御するため用いられる演奏時間データ２４（図２参照）を含むイントロデータ２５ｂが外部記憶媒体９に記憶される。また、所定の楽曲とは、ユーザにより適宜指定されるもので、ラジオ放送等で流れる楽曲のうち、ユーザが楽曲信号の自動記憶処理により、自動的に記憶媒体８に録音させたいと所望する楽曲を指す。
【００２７】
音声信号記憶装置１は、記憶処理部１１と、一時記憶部１２と、楽曲識別情報取得部１３と、制御部１４とを備えている。
【００２８】
記憶処理部１１は制御部１４からの指令に基づき、ラジオ受信部２から入力される音声信号が所定の楽曲に対応する楽曲信号に該当する場合に記憶媒体８にその楽曲信号を記憶させるものである。ここで、記憶処理部１１は、音声信号の記憶処理を行う際に、ラジオ受信部２から入力された音声信号をサンプリングしてＰＣＭ方式でデータ化することができる。また、デジタル信号化された音声信号に対して、ＭＰ３（MPEG1 Audio Layer-3）、ＷＭＡ（Windows（登録商標） Media Audio）、ＡＴＲＡＣ３（登録商標）、ＡＡＣ（Advanced Audio Coding）などの所定の圧縮フォーマットに従った圧縮処理等を施すことができる。このように音声信号に圧縮処理等を施すことで、記憶媒体８に記憶する音声信号のデータサイズを小さくして、多数の楽曲を記憶媒体８に記憶させることができる。
【００２９】
一時記憶部１２は、ＤＲＡＭ（Dynamic Random Access Memory）等により構成され、音声信号逐次記憶領域１２ａと、楽曲信号一時記憶領域１２ｂとを有する。
音声信号逐次記憶領域１２ａは、記憶処理部１１によりラジオ受信部２から入力される音声信号をその入力状態に応じて順次更新しつつ記憶するものである。すなわち、音声信号逐次記憶領域１２ａは、リングバッファの形態を採っており、外部から入力される音声信号のうち、常に一定時間分の音声信号が記憶される領域となっている。
【００３０】
一方、楽曲信号一時記憶領域１２ｂは、記憶処理部１１により所定の楽曲信号が記憶媒体８に記憶される際に、圧縮処理が施された楽曲信号を一時的に保存したり、記憶媒体８から楽曲信号を読み出して再生する際に、圧縮処理が施された楽曲信号を一時的に保存するものである。
【００３１】
楽曲識別情報取得部１３は、メモリカード接続部７を介して接続される外部記憶媒体９に予め記憶された楽曲識別情報２５を取得するためのものである。
【００３２】
制御部１４は、音声信号比較部１４ａと、記憶時間制御部１４ｂとを備え、図示しないＣＰＵ（Central Processing Unit）、ＲＡＭ（Random Access Memory）、ＲＯＭ（Read Only Memory）等により構成される。制御部１４は、ＲＯＭに格納された各種制御プログラムをＲＡＭに読み出して、ＲＡＭの一部を作業領域として、車載オーディオ装置１００の各部を集中制御して楽曲信号の自動記憶処理等の各種処理を実行する。
【００３３】
また、制御部１４は、音声信号比較部１４ａと、記憶時間制御部１４ｂとを備えている。音声信号比較部１４ａは、楽曲信号の自動記憶処理において、一時記憶部１２の音声信号逐次記憶領域１２ａに記憶された音声信号に基づいて、当該音声信号と楽曲識別音声信号とを比較するものである。制御部１４は、比較結果に基づいて音声信号逐次記憶領域１２ａに記憶された音声信号がイントロファイル２５ａに含まれる楽曲識別音声信号と一致すると見倣せる場合に、外部から入力された音声信号が所定の楽曲に該当すると判別する。
【００３４】
ここで、音声信号の比較は、次のように行われる。音声信号比較部１４ａにおいて、記憶処理部１１により音声信号逐次記憶領域１２ａにＰＣＭデータ化されて記憶された一定時間分の音声信号データは、楽曲識別音声信号データと比較されて、その一致度が検出される。一致度は、比較部分を波形としてとらえ、波形の各サンプルポイントにおける両者の振幅値（ＰＣＭデータ値）を１対１比較し、両者の差値あるいは比率を比較値として数値化し、各ポイントの比較値をサマライズすることにより表現することができる。差値または比率をサマライズして表現した値が、判定基準として予め定めた範囲内の値である場合、音声信号逐次記憶領域１２ａに記憶された音声信号が楽曲識別音声信号と一致すると見倣すことができる。
【００３５】
外部から入力された音声信号が所定の楽曲に該当すると判別した場合、制御部１４は外部から入力される音声信号を所定の楽曲に対応する楽曲信号として記憶媒体８に記憶させる前に一時的に楽曲信号一時記憶領域１２ｂに記憶させるように制御する。
【００３６】
記憶時間制御部１４ｂは、制御部１４における楽曲信号の自動記憶処理実行時に、音声信号逐次記憶領域１２ａに記憶された音声信号が所定の楽曲に該当する場合に、楽曲識別情報２５に含まれる演奏時間データ２４を読み出して、記憶処理部１１による楽曲信号の記憶時間を制御するものである。すなわち、記憶時間制御部１４ｂは、現在楽曲信号一時記憶領域１２ｂに記憶している楽曲信号の記憶時間を計時する。そして、音声信号逐次記憶領域１２ａに所定の楽曲の前奏部分に対応する音声信号が記憶されていた時間を含めて、当該楽曲信号の記憶時間が演奏時間に達すると、記憶処理部１１に楽曲信号を楽曲信号一時記憶領域１２ｂに記憶させる処理を停止させる命令を送るものである。
【００３７】
次に、本発明の実施の形態に係る音声信号記憶装置１の動作について説明する。上述したとおり、音声信号記憶装置１では、楽曲識別情報２５に基づいて、ラジオ受信部２から入力される音声信号が特定の楽曲に対応する楽曲信号に該当する場合、その楽曲信号を記憶媒体８に自動的に記憶させるための楽曲信号の自動記憶処理を行う。
【００３８】
楽曲信号の自動記憶処理では、楽曲識別情報２５を予め準備しておく必要がある。そこで、楽曲信号の自動記憶処理に先立って、図２および図３を参照して、楽曲識別情報生成処理について説明する。
【００３９】
ここで、楽曲識別情報生成処理に際して、楽曲のイントロ部分の音声信号ファイルがアーティスト毎に楽曲別に集められてデータベース化されたイントロ情報データベースＤが存在し、パーソナルコンピュータ等によりインターネット等を通じて当該データベースにアクセスできることを前提として以下説明する。また、パーソナルコンピュータ等は、ＣＰＵ、ＲＡＭ、ＲＯＭ等を備えた制御部（図示略）、ユーザからの各種操作指示を受け付ける操作部（図示略）、各種処理結果等を表示する表示部（図示略）、メモリカード等の所定の記憶媒体に生成された楽曲識別情報２５を書き込むことのできる記憶処理部（図示略）等を備えているものとする。
【００４０】
ここで、イントロ情報データベースＤは、図２に示すように、楽曲を提供するアーティストを特定するデータであるアーティスト名データ２１と、楽曲名を特定するデータであるトラック名データ２２と、前奏部分に対応する音声信号が記憶された音声信号ファイル名を特定するイントロファイル名データ２３と、楽曲の演奏時間に関する情報である演奏時間データ２４とを関連付けて記憶させたものである。図２に示す例では、「ＡＡＡ」という名前のアーティストの楽曲が３曲、「ＢＢＢ」という名前のアーティストの楽曲が２曲存在し、それぞれ各楽曲毎にトラック名データ２２、イントロファイル名データ２３、演奏時間データ２４が対応付けられている。なお、前奏部分に対応する音声信号とは、楽曲の冒頭部分に対応する音声信号であり、楽曲の開始から所定の時間内に演奏される部分に対応する音声信号を指す。
【００４１】
以下、所定の楽曲のイントロ部分に対応する音声信号がＰＣＭ方式でデータ化されて記憶された音声信号ファイルを、イントロファイル２５ａ（図１参照）という。また、所定の楽曲についてのアーティスト名データ２１、トラック名データ２２、イントロファイル名データ２３、演奏時間データ２４を含む一連のデータをイントロデータ２５ｂという。
【００４２】
ユーザはパーソナルコンピュータ等の操作部等を介してアーティスト名を指定することにより、そのアーティスト名に関連付けられたイントロデータ２５ｂを表示部に表示させることができる。また、操作部等を介してトラック名を指定することにより、トラック名により指定された楽曲のイントロファイル２５ａおよびイントロデータ２５ｂをイントロ情報データベースＤから取得できる。取得されたイントロファイル２５ａおよびイントロデータ２５ｂは楽曲識別情報２５として外部記憶媒体９に記憶される（図１参照）。
【００４３】
次に、図３を参照して、楽曲識別情報生成処理について説明する。
まず、パーソナルコンピュータ等において当該楽曲識別情報生成処理を実行するためのアプリケーションソフトが起動されると、アーティスト名の入力の有無が監視される（ステップＳ１）。ユーザにより操作部等からアーティスト名の入力が終了される（ステップＳ１：Ｙ）と、入力されたアーティスト名データがイントロ情報データベースＤに送信される（ステップＳ２）。
【００４４】
次に、イントロ情報データベースＤに指定されたアーティストに関連付けられたイントロデータ２５ｂが存在するか否かが確認される（ステップＳ３）。イントロデータ２５ｂがイントロ情報データベースＤ内に存在する場合（ステップＳ３：Ｙ）、指定したアーティスト名に対応づけられたイントロデータ２５ｂの一覧が表示部に表示される（ステップＳ４）。
【００４５】
表示部に表示されたイントロデータ２５ｂの一覧に基づいて、ユーザから操作部を介して所定の楽曲のトラック名が指定される（ステップＳ５：Ｙ）と、指定されたトラック名がイントロ情報データベースＤに送信される（ステップＳ６）。次に、イントロ情報データベースＤから指定したトラック名に対応する楽曲のイントロファイル２５ａおよびイントロデータ２５ｂが送信されると（ステップＳ７：Ｙ）、これらのイントロファイル２５ａおよびイントロデータ２５ｂは、楽曲識別情報２５として外部記憶媒体９に書き込まれる（ステップＳ８）。
【００４６】
上記処理（ステップＳ１〜ステップＳ８）は楽曲識別情報生成処理の終了指示が行われるまで（ステップＳ９：Ｙ）、繰り返し行われる。以上により、ユーザが音声信号記憶装置１により自動的に録音したい楽曲の楽曲識別情報２５が生成され、外部記憶媒体９に記憶される。
【００４７】
次に、図４を参照して、音声信号記憶装置１において実行される楽曲信号の自動記憶処理について説明する。
外部記憶媒体９がメモリカード接続部７を介して音声信号記憶装置１に接続される（ステップＳ１１：Ｙ）と、制御部１４は楽曲識別情報取得部１３を制御して外部記憶媒体９に記憶された楽曲識別情報２５を取得させる（ステップＳ１２）。そして、制御部１４はラジオ受信部２から入力される音声信号（ステップＳ１３）をその入力状態に応じて順次更新させつつ一定時間分の音声信号を一時記憶部１２の音声信号逐次記憶領域１２ａにＰＣＭデータ化して逐次記憶させる（ステップＳ１4）。
【００４８】
そして、制御部１４は、音声信号比較部１４ａにおいて、ステップＳ１２において取得した楽曲識別情報２５に含まれるイントロファイル２５ａから楽曲識別音声信号を読み出して、音声信号逐次記憶領域１２ａに記憶され、順次更新される一定時間分の音声信号と楽曲識別音声信号とを逐次比較する（ステップＳ１５）。
【００４９】
音声信号逐次記憶領域１２ａに記憶された一定時間分の音声信号の少なくとも一部に基づいて、この音声信号逐次記憶領域１２ａに記憶された音声信号が楽曲識別音声信号と一致すると見倣せる場合（ステップＳ１６：Ｙ）、ラジオ受信部２を介して外部から入力される音声信号が所定の楽曲信号に該当すると判別して、以後、ラジオ受信部２から入力される一連の音声信号を一時記憶部１２の楽曲信号一時記憶領域１２ｂに記憶させる（ステップＳ１７）。なお、一致すると見倣なせるか否かは上述した方法により判別する。
【００５０】
そして、制御部１４は記憶時間制御部１４ｂにより、上記の楽曲信号の記憶時間を管理し、音声信号逐次記憶領域１２ａに所定の楽曲に対応する楽曲信号の一部が記憶されていた時間も含めて、楽曲信号の記憶時間が演奏時間に達すると（ステップＳ１８：Ｙ）、記憶処理部１１による音声信号の記憶を停止させる（ステップＳ１９）。そして、音声信号逐次記憶領域１２ａに記憶されている音声信号のうち所定の楽曲の前奏部分に対応する音声信号と楽曲信号一時記憶領域１２ｂに記憶させた所定の楽曲に対応する前奏部分以後の音声信号とを合成して所定の楽曲に対応する一連の楽曲信号として記憶媒体８に記憶させる（ステップＳ２０）。楽曲信号の自動記憶処理の終了操作がなされる（ステップＳ２１：Ｙ）まで、上記処理（ステップＳ１１〜ステップＳ２２）を繰り返し行う。
【００５１】
以上説明した実施の形態の音声信号記憶装置１によれば、楽曲識別情報２５に基づいて、外部から入力される音声信号が所定の楽曲に対応する楽曲信号に該当する場合に、記憶処理部１１にその楽曲信号を記憶させる。したがって、上記音声信号記憶装置１によれば、楽曲識別情報２５により特定された所定の楽曲に対応する楽曲信号を自動的に記憶媒体８に記憶させることができる。
【００５２】
また、本実施の形態の音声信号記憶装置１によれば、ラジオ受信部２を介して外部から入力された音声信号の一部が一時記憶部１２の音声信号逐次記憶領域１２ａに順次更新されつつ記憶される。制御部１４は、一時記憶部１２の音声信号逐次記憶領域１２ａに記憶された音声信号の少なくとも一部に基づいて、音声信号逐次記憶領域１２ａに記憶された音声信号がイントロファイル２５ａに含まれる楽曲識別音声信号と一致すると見倣せる場合に、外部から入力された音声信号が所定の楽曲に対応する楽曲信号に該当すると判別する。すなわち、上記音声信号記憶装置１では、ラジオ受信部２を介して外部から入力された音声信号が所定の楽曲に対応する楽曲信号に該当するか否かを、所定の楽曲に対応する楽曲信号の全部に基づいて判別させるのではなく、所定の楽曲のイントロ部分に対応する楽曲信号の一部に基づいて判別させる。このため、外部から入力された音声信号が所定の楽曲に対応する楽曲信号に該当するか否かの判別に要する負荷を低減させることができる。
【００５３】
また、制御部１４は楽曲識別情報２５に含まれる演奏時間情報に基づいて、記憶処理部１１に楽曲信号を記憶媒体８に記憶させる記憶時間を制御させるので、所定の楽曲に対応する楽曲信号の記憶処理を自動的に終了させることができる。
【００５４】
したがって、ユーザの好きなアーティストの曲について、楽曲識別情報２５を予め準備しておけば、車の運転中であっても運転の妨げとなることなく、車載オーディオ装置１００のラジオ受信部２を介して受信する音声信号のうちユーザの好きなアーティストの曲を自動的に録音できる。また、録音の開始も停止も自動的に行うので利便性が高いとともに、楽曲の前後に余分な音声信号が含まれず、後で余分な音声信号を除去するための編集作業を行う必要もなく操作性が高い。
【００５５】
以上の説明においては、音声信号記憶装置１に入力される音声信号はラジオ受信部２を介して入力されるものとして説明したが、これに限定されるものではなく、例えば、テレビ放送等から受信する音声信号が入力されるものとしてもよい。
【００５６】
また、以上の説明においては、演奏時間情報に基づいて、記憶時間制御部１４ｂにより楽曲信号を楽曲信号一時記憶領域１２ｂに記憶させる時間を制御するものとして説明したが、これに限定されるものではない。例えば、演奏時間情報の代わりに、所定の楽曲における所定の区切り部分に対応する音声信号である区切部識別音声信号を楽曲識別情報２５に含ませ、制御部１４に、音声信号逐次記憶部に順次記憶される音声信号に基づいて、当該音声信号が前記区切部識別音声信号と一致すると見倣せる場合に、外部から入力された音声信号が前記所定の楽曲の所定の区切り部に該当すると判別させて、楽曲信号を楽曲信号一時記憶領域１２ｂにおける記憶処理を制御させてもよい。
【００５７】
ここで、所定の区切り部分とは、例えば、楽曲の間奏部分や後奏部分などがあげられる。このような構成とすることにより、制御部１４は楽曲識別情報２５に含まれる区切部識別音声信号に基づいて、一時記憶部１２に記憶された音声信号がこの区切部識別音声信号と一致すると見倣せる場合に、外部から入力された音声信号が所定の楽曲の所定の区切り部に該当すると判別することができる。このため、制御部１４は外部から入力される音声信号が所定の区切り部に該当するか否かを逐次判別でき、楽曲信号を記憶媒体８に記憶させる記憶時間あるいは楽曲信号の終了時刻等の記憶処理を制御できる。
【００５８】
また、以上の説明においては、楽曲識別情報２５をメモリカード等の外部記憶媒体９に記憶させ、外部記憶媒体９に記憶された楽曲識別情報２５を取得するものとして説明したが、これに限定されるものではない。楽曲識別情報２５はインターネット等を介してアーティスト名、トラック名等を指定することによって音声信号記憶装置１が当該楽曲識別情報２５を取得できる構成であってもよい。
【００５９】
また、以上の説明においては、外部記憶媒体９がメモリカード接続部７を介して接続されると、楽曲信号の自動記憶処理を自動的に開始するものとして説明したが、これに限定されるものではなく、操作部３等により楽曲信号の自動記憶処理の開始指示が入力されることにより楽曲信号の自動記憶処理を開始するような構成としてもよいのは勿論である。
【図面の簡単な説明】
【００６０】
【図１】実施の形態における音声信号記憶装置を含む車載オーディオ装置の概要構成ブロック図である。
【図２】実施の形態のイントロ情報データベースの構成例を示す図である。
【図３】実施の形態の処理フローチャートである。
【図４】実施の形態の処理フローチャートである。
【符号の説明】
【００６１】
１  音声信号記憶装置
２  ラジオ受信部
３  操作部
４  表示部
５  音声信号再生部
６  スピーカー
７  メモリカード接続部
８  記憶媒体
９  外部記憶媒体
１１  記憶処理部
１２  一時記憶部
１２ａ  音声信号逐次記憶領域
１２ｂ  音声信号一時記憶領域
１３  楽曲識別情報取得部
１４  制御部
１４ａ    音声信号比較部
１４ｂ  記憶時間制御部
２５  楽曲識別情報
２５ａ  イントロファイル
２５ｂ  イントロデータ
【図１】
2007157294.tif 000003
【図２】
2007157294.tif 000004
【図３】
2007157294.tif 000005
【図４】
2007157294.tif 000006